(57)【要約】【課題】  本発明は、蒲鉾状画線と蒲鉾状画線の間の非画線部に印刷された潜像画線は、いかなる観察角度においても可視化されないため、この非画線部を避けて印刷するか、あるいは非画線の幅よりもそれぞれの潜像画線の幅を広く設計する必要性を解決するものである。【解決手段】  本発明の目的は、蒲鉾状の画素を市松模様状、あるいはマトリクス状に配置する構成とする。潜像画線の画線方向と直交する方向に、印刷領域全面に跨った非画線が存在しない構成を提供することにある。【選択図】  図１
2015042474.tif 000002
【特許請求の範囲】
【請求項１】
基材上の少なくとも一部に、第一の画像の上に、第二の画像を積層した印刷画像領域を有する潜像印刷物であって、
前記第一の画像は、正反射光下で第一の色彩を発する明暗フリップフロップ性又はカラーフリップフロップ性の少なくともどちらか一方の特性を備えた立体的な曲面形状を有する画素状の第一の要素を第一の方向及び前記第一の方向に直交する第二の方向に市松模様状に複数配列して成り、
前記第一の方向に隣り合う前記第一の要素同士に対し、斜め方向に隣り合う前記第一の要素は、前記第一の方向に隣り合う前記第一の要素同士の間の中心と、前記斜め方向に隣り合う前記第一の要素の中心とが一致し、更に、前記隣り合う前記第一の要素と、前記斜め方向に隣り合う前記第一の要素が重複する位置に配置され、
斜めに隣り合う前記第一の要素同士は、前記第一の方向に第一のピッチずれて配置され、
前記第一のピッチが、前記第一の要素の前記第一の方向における長さ以下であって、
前記第二の画像は、前記第一の画像の正反射時の前記第一の色彩とは異なる第二の色彩を有する第一の潜像画線を前記第一の方向、かつ、前記第一のピッチで複数配置した第一の潜像画像を有し、
拡散反射光下で観察した場合には、前記第一の潜像画像は不可視であり、正反射光下の特定の角度で光が入射した場合に、前記第一の潜像画像が出現することを特徴とする潜像印刷物。
【請求項２】
前記第二の画像は、更に、前記第二の色彩を有する第二の潜像画線を前記第一の方向、かつ、前記第一のピッチで複数配置した第二の潜像画像と・・・第ｎの潜像画線（ｎは、２以上の整数）を前記第一の方向、かつ、前記第一のピッチで複数配置した第ｎの潜像画像を有し、前記第一の潜像画線から前記第ｎの潜像画線までの各々の前記潜像画線は、それぞれ重なり合うことなく配置され、
拡散反射光下で観察した場合には、いずれの前記潜像画像も不可視であって、正反射光下の特定の角度で光が入射した場合に、前記第一の潜像画像から前記第二の潜像画像・・・前記第ｎの潜像画像がそれぞれ単独で出現することを特徴とする請求項１記載の潜像印刷物。
【請求項３】
前記第一の要素の断面形状の曲面が、蒲鉾形状であることを特徴とする請求項１又は２記載の潜像印刷物。
【請求項４】
前記第一の要素の形状が、四角形であることを特徴とする請求項１乃至３いずれか一項記載の潜像印刷物。
【発明の詳細な説明】
【技術分野】
【０００１】
本発明は、偽造防止効果を必要とするセキュリティ印刷物である銀行券、パスポ−ト、有価証券、身分証明書、カ−ド、通行券等の貴重印刷物の分野において、正反射光下で画像がチェンジする潜像印刷物に関する。
【背景技術】
【０００２】
複数の画像が切り替わる画像のチェンジ効果は、人目を惹きやすく、偽造することが困難であることから、近年、セキュリティ印刷物の真偽判別要素として多く用いられる傾向にある。このチェンジ効果を備えた代表的な技術はホログラムであり、銀行券やパスポート等の最高のセキュリティが要求されるセキュリティ印刷物にも貼付されて広く用いられている。
【０００３】
一方、ホログラム以外にも、パララックスバリアやレンチキュラー等の公知技術を用い、これらの技術が備える、わずかな角度変化で画像を変化させられるという特徴を活かした、複数の画像が切り替わる画像のチェンジ効果を備えた真偽判別要素も、すでに存在している。
【０００４】
しかし、ホログラムは、銀行券を代表とする各種セキュリティ印刷物に用いられているものの、一般的な印刷物と比較すると、製造工程の複雑さと高い製造コストに大きな問題がある。パララックスバリアやレンチキュラーを用いた真偽判別要素は、クリア層かレンズが必要となることから、基材がほぼプラスティックに限定される上、印刷物には一定の厚み（少なくとも１５０μｍ程度）が必要となり、市場での流通適性や積載形態を考慮すると一般に流通する印刷物に許される厚さを超えるため、厚さに制限のある印刷物には用いることができず、一定の厚みが許されるプラスティック製カード以外には採用されない傾向にある。
【０００５】
本出願人は前述の問題を鑑み、一般的で、かつ、比較的安価な材料及び簡単な印刷手段を使用していながら、正反射光下の特定の観察角度において、印刷物中の特定部位における人の目に認識される情報が、正反射光下で観察角度を変化させることによって、全く別の情報にチェンジする光学的変化技術に係る発明をすでに出願している（例えば、特許文献１、特許文献２、特許文献３参照）。
【先行技術文献】
【特許文献】
【０００６】
【特許文献１】特許第４６８２２８３号公報
【特許文献２】特許第４６６０７７５号公報
【特許文献３】特開２０１３−０５２５２２号公報
【発明の概要】
【発明が解決しようとする課題】
【０００７】
特許文献１から特許文献３までの従来の技術は、いずれも蒲鉾状の盛り上がりを有する光輝性画線や光輝性画素を所定のピッチで複数配置して形成した第一の画像の上に、同じく所定のピッチで潜像画線を配置して形成した複数の潜像画像を含んだ第二の画像を重ね合わせて形成する技術であって、正反射光下で第二の画像に含まれる複数の潜像画像が出現し、観察角度を変化させることで異なる潜像画像へとチェンジする効果を有する、優れた技術である。しかし、これらの技術は、それぞれの光輝性画線と光輝性画線の間に、印刷画像領域を特定の方向に貫く非画線部（基材が露出している領域）が必ず形成される。この非画線部に重なった潜像画像は、正反射光下の如何なる角度においても可視化されないため、このような位置関係で重ならないように第一の画像と第二の画像を適正な位置に精度良く合わせて印刷する必要があった。
【０００８】
しかし、第一の画像と第二の画像の形成にあたっては、第一の画像は、盛り上がりを形成することができるスクリーン印刷で、第二の画像は、高精細な印刷ができるオフセット印刷やフレキソ印刷、凹版印刷等の第一の画像の印刷とは異なる印刷方式で形成するのが一般的であり、第一の画像と第二の画像は、異なる印刷機によって形成する場合が多く、第一の画像と第二の画像を適正な位置関係で重ね合わせることは困難であった。この問題を防ぐためには、いずれの潜像画線も必ず光輝性画線の上に重なるようにそれぞれの潜像画線の画線幅を非画線部の幅以上に設計する必要があったが、このような設計では、所定のピッチに対するそれぞれの潜像画線幅が太く成りすぎ、第二の画像の中に二個以上の潜像画像を付与することは困難であった。
【０００９】
本発明は、上記課題の解決を目的とするものであり、従来の技術にあった潜像非可視化領域が存在しない潜像印刷物とその製造方法であって、高い刷合せ精度や特殊な印刷方式を必要とせず、オフセット印刷方式とスクリーン印刷等の一般的な技術のコンビネーションで形成するものであって、より容易に製造可能であることを特徴とする。
【課題を解決するための手段】
【００１０】
本発明は、基材上の少なくとも一部に、第一の画像の上に、第二の画像を積層した印刷画像領域を有する潜像印刷物であって、第一の画像は、正反射光下で第一の色彩を発する明暗フリップフロップ性又はカラーフリップフロップ性の少なくともどちらか一方の特性を備えた立体的な曲面形状を有する画素状の第一の要素を第一の方向及び第一の方向に直交する第二の方向に市松模様状に複数配列して成り、第一の方向に隣り合う第一の要素同士に対し、斜め方向に隣り合う第一の要素は、第一の方向に隣り合う第一の要素同士の間の中心と、斜め方向に隣り合う第一の要素の中心とが一致し、更に、隣り合う第一の要素と、斜め方向に隣り合う第一の要素が重複する位置に配置され、斜めに隣り合う第一の要素同士は、第一の方向に第一のピッチずれて配置され、第一のピッチが、第一の要素の第一の方向における長さ以下であって、第二の画像は、第一の画像の正反射時の第一の色彩とは異なる第二の色彩を有する第一の潜像画線を第一の方向、かつ、第一のピッチで複数配置した第一の潜像画像を有し、拡散反射光下で観察した場合には、第一の潜像画像は不可視であり、正反射光下の特定の角度で光が入射した場合に、第一の潜像画像が出現することを特徴とする潜像印刷物である。
【００１１】
本発明は、第二の画像が、更に、第二の色彩を有する第二の潜像画線を第一の方向、かつ、第一のピッチで複数配置した第二の潜像画像と・・・第ｎの潜像画線（ｎは、２以上の整数）を第一の方向、かつ、第一のピッチで複数配置した第ｎの潜像画像を有し、第一の潜像画線から第ｎの潜像画線までの各々の潜像画線は、それぞれ重なり合うことなく配置され、拡散反射光下で観察した場合には、いずれの潜像画像も不可視であって、正反射光下の特定の角度で光が入射した場合に、第一の潜像画像から第二の潜像画像・・・第ｎの潜像画像がそれぞれ単独で出現することを特徴とする潜像印刷物である。
【００１２】
本発明は、第一の要素の断面形状の曲面が、蒲鉾形状であることを特徴とする潜像印刷である。
【００１３】
本発明は、第一の要素の形状が、四角形であることを特徴とする潜像印刷物である。
【発明の効果】
【００１４】
本発明の潜像印刷物は、盛り上がりを有する第一の要素を特定の規則に従って市松模様状に配列して成るため、特定の方向に対して印刷画像領域を貫く非画線部が存在しない。このため、製造上のアバレ等により第一の画像と第二の画像が正規の位置から位置ずれが生じて重ねられて形成された場合でも、すべての潜像画線が第一の要素上に必ず重なる。これによって、第二の画像に含まれるすべての潜像画像が正反射光下において出現する効果を担保できるため、従来の技術と比較して、製造や品質管理が容易となった。また、それぞれの潜像画線の幅を非画線よりも太く設計する必要もなくなった。
【００１５】
本発明の潜像印刷物は、レンチキュラーやマイクロレンズアレイ等のレンズ効果を用いて画像のチェンジ効果を成す一般的な技術と比較しても、１０分の１以下の厚みで形成できる。また、作製にあたっては、ホログラムのように専用の作製装置や機械は必要とせず、紙を基材として、一般的な印刷用インキと既存の印刷機を用いることで作製可能であり、コストパフォーマンスが高い。
【図面の簡単な説明】
【００１６】
【図１】（ａ）は本発明における潜像印刷物の正面図を示し、（ｂ）は側面図を示す。
【図２】本発明における潜像印刷物の構成の概要を示す。
【図３】本発明における第一の画像を示す。
【図４】本発明の第一の画像における画素の配置の詳細を示す。
【図５】本発明における第二の画像を示す。
【図６】本発明における第一の画像と第二の画像の重なり合いの位置関係を示す。
【図７】（ａ）は本発明における潜像印刷物を拡散反射光下で観察した場合に、観察者に視認される画像を示し、（ｂ）は本発明における潜像印刷物を正反射光下の特定の角度で観察した場合に、観察者に視認される画像を示し、（ｃ）は本発明における潜像印刷物を（ｂ）とは異なる特定の角度で観察した場合に、観察者に視認される画像を示す。
【図８】本発明の第一の画像における画素の配置の一例を示す。
【図９】本発明における第一の画像と第二の画像の重なり合いの位置関係を示す。
【図１０】本発明の第一の画像における画素の配置の一例を示す。
【図１１】本発明における第一の画像と第二の画像の重なり合いの位置関係を示す。
【図１２】（ａ）は本発明における潜像印刷物の正面図を示し、（ｂ）は側面図を示す。
【図１３】本発明における潜像印刷物の構成の概要を示す。
【図１４】本発明における第一の画像を示す。
【図１５】本発明の第一の画像における画素の配置の詳細を示す。
【図１６】本発明における第二の画像を示す。
【図１７】本発明における第一の画像と第二の画像の重なり合いの位置関係を示す。
【図１８】（a）は本発明における潜像印刷物を正反射光下の特定の角度で観察した場合に、観察者に視認される画像を示し、（ｂ）は本発明における潜像印刷物を（a）とは異なる特定の角度で観察した場合に、観察者に視認される画像を示し、（ｃ）は本発明における潜像印刷物を（a）（ｂ）とは異なる特定の角度で観察した場合に、観察者に視認される画像を示す。
【図１９】（ａ）は本発明における潜像印刷物の正面図を示し、（ｂ）は側面図を示す。
【図２０】本発明における潜像印刷物の構成の概要を示す。
【図２１】本発明における第一の画像を示す。
【図２２】本発明における第二の画像を示す。
【図２３】本発明における第一の画像と第二の画像の重なり合いの位置関係を示す。
【図２４】（ａ）は本発明における潜像印刷物を拡散反射光下で観察した場合に、観察者に視認される画像を示し、（ｂ）は本発明における潜像印刷物を正反射光下の特定の角度で観察した場合に、観察者に視認される画像を示し、（ｃ）は本発明における潜像印刷物を（ｂ）とは異なる特定の角度で観察した場合に、観察者に視認される画像を示す。
【発明を実施するための形態】
【００１７】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００１８】
（第一の実施の形態）
図１に、本発明における潜像印刷物（１）を示す。図１（ａ）に示すのは、潜像印刷物（１）の正面図であり、図１（ｂ）に示すのは、潜像印刷物（１）のＡＡ´ラインにおける断面図である。潜像印刷物（１）は、基材（２）の上に、印刷画像領域（３）が形成されて成る。基材（２）は、印刷画像領域（３）が形成できれば、紙であってもプラスティックであっても、金属等であってもよく、その材質は問わない。印刷画像領域（３）は、如何なる色彩でも良く、透明や半透明であっても問題ない。また、基材（２）の大きさについても、特に制限はない。
【００１９】
本発明の印刷画像領域（３）の構成の概要を図２に示す。印刷画像領域（３）は、第一の画像（４）の上に第二の画像（５）が重ね合わさって成る。二つの画像の積層構造は、必ず第一の画像（４）の上に第二の画像（５）が重なる層構造とする必要がある。また、第二の画像（５）は、潜像画像を一つ有すればよいが、潜像画像を二つ以上有することがより好ましいため、本形態では、二つの潜像画像を例に説明する。なお、第一の実施の形態では、第二の画像（５）は、第一の潜像画像（５Ａ）及び第二の潜像画像（５Ｂ）の二つの潜像画像を有する。第二の画像（５）の中に含まれる第一の潜像画像（５Ａ）及び第二の潜像画像（５Ｂ）は、正反射光下で出現する潜像画像となる。
【００２０】
まず、第一の画像（４）について具体的に説明する。図３に示すのは、第一の画像（４）であり、第一の画像（４）は、盛りあがりを有する画素状の第一の要素（６）を所定の方向に、所定のピッチで複数配置されて成る。第一の実施の形態における第一の要素（６）は、断面が蒲鉾状、かつ、平面形状が四角形の形状を有しているが、この形状に限定されるわけではなく、第一の要素（６）の形状とは、立体的な曲面形状、すなわち盛り上がりを有する構造であって、かつ、少なくとも一つの特定の方向に対して左右対称な形状であれば如何なる形状であっても良い。後述する図１０に示すような中心が盛りあがりを有する半球形状のみならず、半楕円球、蒲鉾形状等の一定の曲率を持った左右対称な形状、三角柱、五角柱、六角柱等の多角柱などの立体的な曲面形状を有し、平面形状が円形状や楕円状等の曲線を有する形状、三角形、五角形、六角形等の多角形等であっても良い。なお、第一の画像（４）を構成するすべての第一の要素（６）の三次元構造及び平面形状は、同じである必要がある。
【００２１】
第一の画像（４）は、第一の要素（６）が市松模様に準じた形状である「市松模様状に配列」して成る。本明細書中で言う「市松模様状に配列」とは、一般的な市松模様に似た構成の模様に配列された状態ではあるが、完全な市松模様で配列された状態とは異なる。「市松模様状に配列する」とは、具体的には「同じ形状の第一の要素（６）が市松模様のように所定のピッチで互い違いに配列され、特定の方向（実施の形態においては、第一の方向（Ｓ１））に隣り合う第一の要素（６）と第一の要素（６）の間の特定の方向の中間位置に、斜め上、斜め下に隣り合う第一の要素（６）の特定の方向の中心が位置する構成であって、かつ、それぞれの第一の要素のいずれの辺や端部も互いに接することがない構成で配列した状態」を指す。その他、第一の画像（４）を構成する第一の要素（６）の配列において、この他に満たさなければならない条件については後述する。なお、実施の形態における具体的な構成の説明では、特定の方向を第一の方向（水平方向：図中Ｓ１方向）とし、特定の方向と直交する方向を第二の方向（垂直方向：図中Ｓ２方向）とする。なお、本例では、第一の方向を水平方向、第二の方向を垂直方向としているが、第一の方向と第二の方向は、直交する関係であれば任意の方向でよい。
【００２２】
第一の画像（４）は、第一の方向（図中Ｓ１方向）の要素長さがＷ１で、第二の方向（図中Ｓ２方向）の要素の長さがＨの大きさを有する四角形の第一の要素（６）が第一の方向（Ｓ１）に特定のピッチ（Ｐ１）で、第二の方向（Ｓ２）に特定のピッチ（Ｐ２）で市松模様状に配列されて成る。また、第一の画像（４）は、如何なる色彩であっても良く、透明や半透明であっても良い。ピッチ（Ｐ１）とピッチ（Ｐ２）は、同じ値で有っても良いし、異なる値であっても良い。なお、印刷での画線再現性や、潜像画像に要求される画像解像度等を考慮すると、第一の要素（６）の第一の方向における長さ及び各ピッチ（Ｐ１、Ｐ２）ともに、０．０５ｍｍから５ｍｍの範囲で形成することが望ましい。
【００２３】
第一の画像（４）を構成する第一の要素（６）の配列において、市松模様状の配列以外に、満たさなければならない条件について具体的に説明する。まず、第一の要素（６）を市松模様状に配列するほかに、少なくとも一つの特定の方向に対して以下に述べる位置関係を満たさなくては成らない。第一の要素（６）の要素長さ（Ｗ１）と第一の方向（Ｓ１）における配置ピッチ（Ｐ１）が満たさなければならない位置関係について、図４を用いて具体的に説明する。図４（ｂ）に市松模様状の配列における基本的な繰り返し構造である、互いに斜め方向に隣り合う三つの第一の要素（６Ａ、６Ｂ、６Ｃ）を例として拡大して示す。第一の実施の形態における第一の画像（４）とは、図４（ｂ）に示す基本的な構造が上下左右に繰り返されて配置されることで形成されると考えることができる。三つの第一の要素（６Ａ、６Ｂ、６Ｃ）のうち、左端の第一の要素（６Ａ）と右端の第一の要素（６Ｃ）とは、ピッチ（Ｐ１）×２（２倍）だけ第一の方向（Ｓ１）に位相をずらして配置され、第二の方向（Ｓ２）へのずれはない。この左端の第一の要素（６Ａ）と右端の第一の要素（６Ｃ）の位置関係を、本明細書中において「第一の方向に隣り合う」位置関係と呼ぶ。一方、一番上に位置する第一の要素（６Ｂ）の第一の方向（Ｓ１）における中心は、左端の第一の要素（６Ａ）の第一の方向（Ｓ１）における中心と右端の第一の要素（６C）の第一の方向（Ｓ１）における中心から等距離にある点を通って、第二の方向に伸びる直線の延長線上に位置する。すなわち、一番上に位置する第一の要素（６Ｂ）は、左端の第一の要素（６Ａ）の中心を基準として、第一の方向（Ｓ１）にピッチ（Ｐ１）だけ要素の中心がずれ、第二の方向（Ｓ２）へは、ピッチ（Ｐ２）だけ位相をずれて配置されて成る。第一の要素（６Ｂ）と第一の要素（６Ａ）の位置関係や、第一の要素（６Ｂ）と第一の要素（６Ｃ）の位置関係を、本明細書中において「斜めに隣り合う」位置関係と呼ぶ。
【００２４】
第一の画像（４）を構成するにあたっては、隣り合う三つの第一の要素（６Ａ、６Ｂ、６Ｃ）の位置関係において少なくとも一つの方向（第一の実施の形態では、第一の方向（Ｓ１））に対して、隣り合う三つの第一の要素（６Ａ、６Ｂ、６Ｃ）の第一の方向（Ｓ１）上のそれぞれの端部の位相が、完全に接するか、一部に重なる位置関係にあることが必須となる。具体的には、左端の第一の要素（６Ａ）の右辺（６ＡＲ）の第一の方向（Ｓ１）の位相は、一番上に位置する第一の要素（６Ｂ）の左辺（６ＢＬ）と同じ位置か、あるいはより右側に存在し、上の第一の要素（６Ｂ）の右辺（６ＢＲ）の第一の方向（Ｓ１）の位相は、一番右に位置する第一の要素（６Ｃ）の左辺（６ＣＬ）と同じ位置か、あるいはより右側に存在する必要がある。完全に接する場合、６ＡＲと６ＢＬ、６ＢＲと６ＣＬの第一の方向（Ｓ１）に対する位相は一致し、一例である図４（ｂ）に示すように、一部に重なる位置関係の場合は、６ＢＬが６ＡＲよりも左側（６ＡＲの辺を有する第一の要素（６Ａ）のある方向）に位置することにより６ＢＬと６ＡＲのそれぞれ一部に重複する領域を有し、６ＣＬは６ＢＲよりも左側（６ＢＲの辺を有する第一の要素（６Ｂ）のある方向）に位置することによって、６ＣＬは６ＢＲのそれぞれ一部に重複する領域を有する。なお、この位置関係を満たすためには、斜めに隣り合う第一の要素間（例えば、第一の要素（６Ａ）と第一の要素（６Ｂ））の第一の方向（Ｓ１）における位相差（ピッチ（Ｐ１））が、第一の要素（６）の第一の方向（Ｓ１）における長さ（要素長さ（Ｗ１））以下である必要がある。これが第一の画像（４）を形成する第一の要素（４）の配置において、市松模様状に配列する以外に必須と成る条件である。更に、本発明における重複領域とは、一部が重なる領域のみならず、接する場合も含む意である。
【００２５】
以上をまとめると、第一の画像（４）における第一の要素（４）の配列における要件とは、第一の要素（６）が市松模様状に配列されること、すなわち、「同じ形状の第一の要素（６）が市松模様のように上下左右に互い違いに配列され、左右に隣り合う第一の要素（６）の間の特定の方向の中間の位相上に、斜め上、斜め下に隣り合う第一の要素（６）の中心が位置する構成であって、かつ、それぞれの第一の要素のいずれの辺や端部も互いに接することがない構成で配列した状態」であって、かつ「斜めに隣り合う第一の要素間の特定の方向における位相差（ピッチ（Ｐ１））が、第一の要素（６）の特定の方向における長さ（要素長さ（Ｗ１））以下である」という二つの条件を満たせばよい。
【００２６】
第一の画像（４）は、拡散反射光下においては特定の色彩を有するか、あるいは透明又は半透明であって、明暗フリップフロップ性及び／又はカラーフリップフロップ性を有する必要がある。本発明における「明暗フリップフロップ性」とは、物質に光が入射した場合に、物質の明度のみが変化する性質を指し、「カラーフリップフロップ性」とは、物質に光が入射した場合に、物質の色相が変わる性質を指す。明暗フリップフロップ性を備えた、印刷で用いるインキとしては、金色や銀色等のメタリック系の金属インキや、グロスタイプの着色インキがある。一般的に艶があると感じられる物質は明暗フリップフロップ性を備える。例えば、銀インキは光を強く反射しない拡散反射光下では暗い灰色にしか見えないが、光を強く反射する正反射光下ではより淡い灰色か、あるいは白色に見える。このように、「明暗フリップフロップ性」を有するインキは、正反射光下で明度のみが変化する。
【００２７】
一方のカラーフリップフロップ性を備えた、印刷で用いるインキとしては、パールインキや液晶インキ、ＯＶＩ、ＣＳＩ（Ｃｏｌｏｒ Ｓｈｉｆｔｉｎｇ Ｉｎｋ）等が存在する。多くのインキは物体色を有するが、虹彩色パールインキは無色透明である。例えば、赤色の虹彩色パールインキは、拡散反射光下では無色透明だが、正反射光下では赤色の干渉色を発する。このように、「カラーフリップフロップ性」を備えたインキは、正反射光下で色相が変化する。
【００２８】
以上のような構成の第一の画像（４）を、印刷画線に盛りあがりを形成できる印刷方式によって形成する。出現する潜像画像に一定の視認性を確保するためには、第一の要素（６）の盛りあがり高さは３μm以上必要であるため、スクリーン印刷や凹版印刷等で形成することが望ましいが、グラビア印刷やフレキソ印刷、凸版印刷、ＩＪＰ等であってもこの程度の画線の盛りあがり高さを形成することは可能である。また、盛り上がりの高さの上限に関しては、特に制限はないが、大量に積載した場合の安定性や耐摩擦性、流通適正等を考慮して１ｍｍ以下とする。
【００２９】
続いて、第二の画像（５）について具体的に説明する。図５に示すのは、第二の画像（５）であり、第二の画像（５）は、第一の潜像画像（５Ａ）と第二の潜像画像（５Ｂ）を有する。第一の潜像画像（５Ａ）は、第一の方向（Ｓ１）に対して特定の要素長さ（Ｗ２）を有し、画線方向が第二の方向（Ｓ２）を成す第一の潜像画線（７Ａ）が、第一の画像（４）と同じ特定のピッチ（Ｐ１）で第一の方向（図中Ｓ１方向）に連続して配されて成り、第二の潜像画像（５Ｂ）は、第一の方向（Ｓ１）に対して特定の要素長さ（Ｗ３）を有し、画線方向が第二の方向（Ｓ２）を成す第二の潜像画線（７Ｂ）が、第一の画像（４）と同じ特定のピッチ（Ｐ１）で第一の方向（図中Ｓ１方向）に連続して配されて成る。第一の潜像画像（５Ａ）を構成する第一の潜像画線（７Ａ）と第二の潜像画像（５Ｂ）を構成する第二の潜像画線（７Ｂ）とは、重なり合うことはなく、第一の方向（Ｓ１）に位相がずれて第一の潜像画線（７Ａ）と第二の潜像画線（７Ｂ）とが交互に配置されて第二の画像（５）を構成して成る。第一の潜像画線（７Ａ）と第二の潜像画線（７Ｂ）の位相のずれの適正な値は、ピッチの約ｎ分の１（ｎは潜像数）の値となる。
【００３０】
本発明の潜像印刷物（１）において、第一の画像（４）、第二の画像（５）のそれぞれの要素の配置ピッチ（Ｐ１）と配置方向（第一の方向（Ｓ１））は、同じである必要がある。すなわち、いずれの要素も全て同じピッチ（Ｐ１）で、かつ、全て同じ第一の方向（図中Ｓ１方向）に連続して配置される。なお、第一の要素（６）の第一の方向（Ｓ１）の要素長さ（Ｗ１）は、各潜像画線の第一の方向（Ｓ１）の要素長さ（Ｗ２及びＷ３）よりも大きい必要がある。また、各潜像画線の第一の方向（Ｓ１）の要素長さ（Ｗ２、Ｗ３）は同じであっても、異なっていても良い。なお、第一の要素（６）の長さ及びピッチとの関係から、潜像画線の画線幅、ピッチともに、０．０１ｍｍから５ｍｍの範囲で形成することが好ましい。
【００３１】
それぞれの潜像画線（７）は、盛りあがりが必須ではなく、このため、如何なる印刷方式で形成しても良い。生産性を考えれば、オフセット印刷で形成することが最も好ましい。正反射光下で潜像画像を可視化するために、潜像画線（７）は、正反射時に第一の要素（６）との間に色差を生じる必要があり、少なくとも反射時の色彩が前述の第一の要素（６）の正反射時の色彩と異なっている必要がある。また、潜像画線（７）は、第一の要素（６）の上に重ねて形成されるために、潜像画線（７）の下の第一の要素（６）に入射する光を遮断し、正反射光下で生じる第一の要素（６）の色彩変化を抑制する働きを成す。このため、潜像画線（７）が重なっているか否かによって、第一の要素（６）の正反射時の色彩に、より大きな違いが生じるため、潜像画像の視認性をより高めるためには、潜像画線（７）は高い光遮断性を備えていることが望ましい。
【００３２】
そのため、潜像画線（７）、すなわち第二の画像（５）を印刷で形成する場合には、低光沢なマットインキを用いることが望ましい。また、これらのインキにチタンのような光遮断性の高い機能性材料を配合すると、より高い効果を得ることができる。また、潜像画線（７）は、拡散反射光下では不可視であることが望ましいことから、無色透明か、半透明程度の色彩であることが望ましい。ただし、品質管理を容易にするために、わずかに着色顔料を配合してインキを着色したり、透明インキに蛍光顔料を配合してUVランプを用いて脱刷や印刷不良等の異常を管理することもできる。
【００３３】
また、潜像画線（７）は、インキで形成するだけでなく、プリンターを用いて形成しても良い。また、潜像画線（７）にあたる画像を第一の要素（６）に切削して付与することで形成することもできる。このような切削は、レーザー加工機を用いることで容易に実施することができる。レーザーが照射された第一の要素（６）は、多くの場合明暗フリップフロップ性やカラーフリップフロップ性が失われるか、大きく低下するために、本発明で潜像画線（７）に必要とする特性を付与することができる。これらのプリンターやレーザー加工機を用いる場合には、一枚一枚異なる情報を与える可変情報を容易に付与できるという特徴がある。
【００３４】
以上の構成の第一画像（４）の上に、第二の画像（５）を重ね合わせて形成する。このときの二つの画像の重ね合わせの位置関係について図６を用いて説明する。好ましくは、第一の画像（４）と第二の画像（５）が第一の方向（Ｓ１）に平行に重なれば良い。このとき、第一の画像（４）と第二の画像（５）の間に角度ずれ（ヒネリ）が生じなければ、必ず第二の画像(５)に含まれた潜像画像が可視化される構造となっているため、第一の方向（Ｓ１）及び／又は第二の方向（Ｓ２）に位置ずれが生じても問題ない。それぞれの第一の要素（６）の表面の特定の角度の斜面に必ずそれぞれの第一の潜像画線（７Ａ）が重なり、第一の潜像画線（７Ａ）が重なった以外の角度の斜面に、第二の潜像画線（７Ｂ）が重なる構造となる。第一の画像（４）は、第一の要素（６）を市松模様状に配列して成ることから、図６の側面図に示すように、第一の要素（６）上に重ならず、基材（２）上に重なる潜像画線も一部に存在するものの、一本の潜像画線全体が第一の要素（６）に重ならない事態が発生しないために、第二の画像（５）中に含まれる潜像画像は、正反射光下のいずれかの観察角度において可視化される効果が担保される。
【００３５】
以上の構造を有する本発明の潜像印刷物（１）の効果について図７を用いて説明する。図７（ａ）に示すように、本発明の潜像印刷物（１）を拡散反射光下で観察した場合、第二の画像中に含まれる潜像画像は、いずれも不可視であって、印刷画像領域（３）全体が特定の色彩で観察されるか、あるいは、透明や半透明で観察できない。図７（ｂ）に示すように、本発明の潜像印刷物（１）を正反射光下で観察した場合、ある特定の観察角度（第一の実施の形態においてはやや浅い観察角度）において第一の潜像画像（５Ａ）が表す潜像画像である、アルファベットの「Ｊａｐａｎ」の文字が出現する。図７（ｃ）に示すように、本発明の潜像印刷物（１）を正反射光下で観察した場合、図７（ｂ）の場合とは異なる、特定の観察角度（第一の実施の形態においてはやや深い観察角度）において第二の潜像画像（５Ｂ）が表す潜像画像である、「波の画像」が出現する。
【００３６】
この潜像画像は、正反射光下にあればいずれの角度からでも視認できるわけではなく、視認できる角度範囲は制限される。観察角度が特定の角度範囲から外れた場合には、潜像印刷物（１）から正反射光が生じる観察角度領域内で潜像印刷物（１）を観察したとしても印刷画像領域（３）中に潜像画像は出現しない。
【００３７】
以上の効果が生じる原理について説明する。まず、拡散反射光下で第一の潜像画像（５Ａ）及び第二の潜像画像（５Ｂ）が不可視となる効果が生じる原理について説明する。拡散反射光下において、第二の画像（５）に直接入射する光がなく、強い正反射光を発することがないことから、透明か、あるいは半透明である。よって、拡散反射光下で第一の潜像画像（５Ａ）及び第二の潜像画像（５Ｂ）は完全に不可視か、ほぼ不可視である。
【００３８】
次に、正反射光下のある特定の観察角度において第一の潜像画像（５Ａ）が出現し、また、異なる特定の観察角度において第二の潜像画像（５Ｂ）が出現する原理について以下に説明する。第一の画像（４）を構成する第一の要素（６）は、カラーフリップフロップ性か、明暗フリップフロップ性の少なくともいずれか一方の特性を有することから、印刷画像領域（３）に光が入射した場合、第一の要素（６）は、光を強く正反射する。なお、第一の要素（６）は、立体的な盛り上がりを有するため、光が入射した場合、入射した光と直交する画線表面のみが強く光を反射する。例えば、図中のＡ方向から光が入射した場合、それぞれの第一の要素（６）のＡ側の画線表面のみが光を反射し、図中のＡ´方向から光が入射した場合、それぞれの第一の要素（６）のＡ´側の画線表面のみが光を反射することとなる。このとき、それぞれの第一の要素（６）のＡ側の画線表面には第二の画像（５）を構成する二つの潜像画線のうちのいずれか一方のみの潜像画線のみが重なって成り、第一の要素（６）のＡ側の画線表面には第二の画像（５）を構成する二つの潜像画線のうちのもう一方の潜像画線のみが重なって成る。第二の画像（５）を構成する潜像画線は、第一の要素（６）とは異なり、光を強く反射する特性を有さないため、Ａ側から第一の要素（６）に光が入射した場合、第一の要素（６）の上のＡ側の画線表面に重ねられた潜像画線（７）のみが反射光の強弱によって可視化され、Ａ´側から第一の要素（６）に光が入射した場合、第一の要素（６）の上のＡ´側の画線表面に重ねられた潜像画線（７）のみが反射光の強弱によって可視化される。以上の原理によって、正反射光下のある特定の観察角度において第一の潜像画像（５Ａ）が出現し、また、正反射光下の異なる特定の観察角度において第二の潜像画像（５Ｂ）が出現する。
【００３９】
第一の画像（４）における第一の要素（６）の配列構造とは、少なくとも一つの方向（第一の実施の形態においては、第二の方向（Ｓ２））に印刷画像領域（３）を完全に貫いてしまう非画線を形成させないことを目的とした構造である。このような配列で第一の画像（４）を構成した場合、第二の画像（５）が第一の方向（Ｓ１）にずれて重ねられた場合でも、潜像画線（７）全体が非画線部に重なってしまうことがなく、いずれの潜像画線（７）も必ずいずれかの第一の要素（６）の上に重なるため、第二の画像（５）の中に含まれる潜像画像が正反射下のいずれかの観察角度で出現する効果を担保することができる。
【００４０】
なお、本明細書中で言う正反射とは、物質にある入射角度で光が入射した場合に、入射した光の角度と略等しい角度に強い反射光が生じる現象を指し、拡散反射とは、物質にある入射角度で光が入射した場合に、入射した光の角度と異なる角度に弱い反射光が生じる現象を指す。例えば、虹彩色パールインキを例とすると拡散反射の状態では無色透明に見えるが、正反射した状態では特定の干渉色を発する。正反射光下で観察するとは、印刷物に入射した光の角度と略等しい反射角度に視点をおいて観察する状態を指し、拡散反射光下で観察するとは、印刷物に入射した光の角度と大きく異なる角度で観察する状態を指す。
【００４１】
第一の画像（４）における、第一の要素（６）の配置形状の異なる一例について図８及び図９を用いて説明する。図８に示すのは、第一の実施の形態で示したのと同じ、四角形の形状を成す第一の要素（６’）を市松模様状に配列した第一の画像（４’）の例の一つである。図８に示す例では、第一の方向（Ｓ１）に隣り合う左側の第一の要素（６Ａ’）と右側の第一の要素（６Ｂ’）の一部にそれぞれ重なる領域を有し、右側の第一の要素（６Ｃ’）と左側の第一の要素（６Ｂ’）の一部にそれぞれ重なる領域を有し、それぞれの第一の要素の位置関係が図４の例と比較して近い。図４の市松模様状の配列では、第一の要素（６）の第一の方向（Ｓ１）の要素長さ（Ｗ１）とピッチ（Ｐ１）は、近い大きさであり、図６のＡ−Ａ´線上の断面図に示すように一つの第一の要素（６）に対して、各潜像画線（７Ａ、７Ｂ）は、基本的にそれぞれ一本ずつしか重ならなかったのに対し、図８の構成では、第一の要素（６’）の第一の方向（Ｓ１）の要素長さ（Ｗ１）は、ピッチ（Ｐ１）の２倍に近い大きさであり、図９のＡ−Ａ´線上の断面図に示すように第一の潜像画線（７Ａ’）は、二本、第二の潜像画線（７Ｂ’）は、一本の、合計三本の潜像画線（７’）が重なる構成となる。このような構成の場合も、それぞれの第一の要素（６’）の特定の角度の画線表面に必ず同じ潜像画線が重なる関係が保てるため、正反射光下の特定の観察角度において第一の潜像画像（５Ａ’）が出現し、また、正反射光下の異なる特定の観察角度において第二の潜像画像（５Ｂ’）が出現する効果を得ることができる。
【００４２】
続いて、第一の画像（４）における、第一の要素（６）の配置形状の異なる一例であって、第一の要素（６）が円の形状を有した場合の一例について図１０及び図１１を用いて説明する。第一の要素（６’’）の形状が円である場合でも、第一の方向（Ｓ１）における第一の要素（６’’）の長さ（Ｗ１）（真円の場合には直径にあたる）よりも、斜めに隣り合う第一の要素（６Ａ’’）の位相と第一の要素（６Ｂ’’）間の第一の方向（Ｓ１）における位相差（ピッチ（Ｐ１））が小さければ本発明における第一の画像（４’’）を成すことができる。このような構成でも、左に位置する第一の要素（６ＡＬ’’）の右端（６ＡＲ’’）の位相は、斜めに隣り合う第一の要素（６Ｂ’’）の左端（６ＢＬ’’）の位相に対して第一の方向（Ｓ１）に対して同じ位相か、あるいはより右側に存在し、一方の第一の要素（６Ｂ’’）の右端（６ＢＲ’’）の位相は、斜めに隣り合う第一の要素（６Ｃ’’）の右端（６ＣＬ’’）の位相に対して第一の方向（Ｓ１）に対して同じ位相か、あるいはより右側に存在する構成となり、特定の方向（第二の方向（Ｓ２））に印刷画像領域（３’’）を完全に貫く非画線が存在しない。このように構成した第一の画像（４’’）でも、図１１に示すように特定のピッチ（Ｐ１）で配置した第二の画像（５’’）を重ねることで本発明の潜像印刷物（１’’）を形成することができる。
【００４３】
また、第一の実施の形態に示す例においては、第二の方向（Ｓ２）に対しては斜めに隣り合う第一の要素（６）同士が接触しないように、隣り合う第一の要素（６）間の第二の方向（Ｓ２）の位相差を第二の方向（Ｓ２）の画線長さ（Ｈ）よりも大きな値であるピッチ（Ｐ２）に設定した。ただし、「斜めに隣り合う第一の要素間の特定の方向における位相差（ピッチ（Ｐ１））を第一の要素（６）の特定の方向における長さ（要素長さ（Ｗ１））以下とする」構成とは、一つの方向（第一の方向（Ｓ１））のみに限定されるものではなく、同時に第二の方向（Ｓ２）に対しても「斜めに隣り合う第一の要素間の特定の方向における位相差（ピッチ（Ｐ１））を第一の要素（６）の特定の方向における長さ（要素長さ（Ｗ１））以下とする」構成を用いても良い。例えば、図１０に示した第一の画像（４）は、第一の方向（Ｓ１）と第二の方向（Ｓ２）の二つの方向に対してこの構成を用いている。このような例においては、第一の方向（Ｓ１）にピッチ（Ｐ１）で配列された潜像画線に対してだけでなく、第二の方向（Ｓ２）にピッチ（Ｐ２）で配列された潜像画線で形成した潜像画像に対しても、必ず画像が出現する効果を担保することが可能となる。また、第一の方向（Ｓ１）、第二の方向（Ｓ２）の二つの方向だけでなく、第三の方向、第四の方向に対しても同様な構成を用いても何ら問題ない。なお、複数の方向に対して斜めに隣り合う第一の要素間の特定の方向における位相差を第一の要素（６）の特定の方向における長さ以下とするためには、第一の要素（６）の形状を円や菱形、三角形や五角形、六角形、八角形等の多角形とすることが望ましい。
【００４４】
また、第一の実施の形態では、第二の画像（５）に含まれる潜像画像の数を二個としたが、潜像画像の数は二つに限定されるものではなく、ユーザーの希望に応じてｎ個の潜像画像を付与することができる。すなわちｎ個の潜像画像を付与するのであれば、第一の潜像画像（５Ａ）を第一の潜像画線（７Ａ）で構成し、第二の潜像画像（５Ｂ）を第二の潜像画線（７Ｂ）で構成し、第ｎの潜像画像を第ｎの潜像画線で構成し、それぞれの潜像画線が重なりあわないように第一の方向（Ｓ１）に位相をずらして配置して第二の画像（５）を形成すれば良い。以下に第二の実施の形態として、潜像画像数三個（ｎ＝３）の場合の潜像印刷物（１’’’）の例について説明する。
【００４５】
（第二の実施の形態）
図１２に、本発明における潜像印刷物（１’’’）を示す。図１２（ａ）に示すのは、潜像印刷物（１’’’）の正面図であり、図１２（ｂ）に示すのは、潜像印刷物（１’’’）のＡＡ´ラインにおける断面図である。潜像印刷物（１’’’）は、基材（２’’’）の上に、印刷画像領域（３’’’）が形成されて成る。
【００４６】
本発明の印刷画像領域（３’’’）の構成の概要を図１３に示す。印刷画像領域（３’’’）は、第一の実施の形態同様に立体的な曲面構造を有した第一の画像（４’’’）の上に第二の画像（５’’’）が重ね合わさって成る。第二の実施の形態において、第二の画像（５’’’）は三つの潜像画像を有し、第一の潜像画像（５Ａ’’’）、第二の潜像画像（５Ｂ’’’）及び第三の潜像画像（５Ｃ’’’）を有する。第二の画像（５’’’）の中に含まれる第一の潜像画像（５Ａ’’’）、第二の潜像画像（５Ｂ’’’）及び第三の潜像画像（５Ｃ’’’）は、正反射光下で出現する潜像画像となる。
【００４７】
図１４及び図１５に示す第一の画像（４’’’）は第一の実施の形態の第一の画像（４’’’）と同じであって、第一の画像（４’’’）は、第一の要素（６’’’）が市松模様状に配列して成る。具体的な構成は、第一の実施の形態の第一の画像（４）と同じであることから説明を省略する。
【００４８】
続いて、第二の画像（５’’’）について具体的に説明する。図１６に示すのは第二の画像（５’’’）であり、第二の画像（５’’’）は、第一の潜像画像（５Ａ’’’）、第二の潜像画像（５Ｂ’’’）及び第三の潜像画像（５Ｃ’’’）を有する。第一の潜像画像（５Ａ’’’）は、特定の要素長さ（Ｗ２）の第一の潜像画線（７Ａ’’’）が、第一の画像（４’’’）と同じ特定のピッチ（Ｐ１）で第一の方向（図中Ｓ１方向）に連続して配されて成り、第二の潜像画像（５Ｂ’’’）は、特定の要素長さ（Ｗ３）の第二の潜像画線（７Ｂ’’’）が、第一の画像（４’’’）と同じ特定のピッチ（Ｐ１）で第一の方向（図中Ｓ１方向）に連続して配されて成り、第三の潜像画像（５Ｃ’’’）は、特定の要素長さ（Ｗ４）の第二の潜像画線（７Ｃ’’’）が、第一の画像（４’’’）と同じ特定のピッチ（Ｐ１）で第一の方向（図中Ｓ１方向）に連続して配されて成る。第一の潜像画像（５Ａ’’’）を構成する第一の潜像画線（７Ａ’’’）、第二の潜像画像（５Ｂ’’’）を構成する第二の潜像画線（７Ｂ’’’）、第三の潜像画像（５Ｃ’’’）を構成する第三の潜像画線（７Ｃ’’’）とは、重なり合うことはなく、それぞれ第一の方向（Ｓ１）に位相がずれて、第一の潜像画線（７Ａ’’’）、第二の潜像画線（７Ｂ’’’）、第三の潜像画線（７Ｃ’’’）とが交互に配置されて第二の画像（５’’’）を構成して成る。その他の第二の画像（５’’’）及び潜像画線（７’’’）に必要とされる特性は第一の実施の形態と同様であるため省略する。
【００４９】
以上の構成の第一画像（４’’’）の上に、第二の画像（５’’’）を重ね合わせて形成する。このときの二つの画像の重ね合わせの位置関係について図１７に示す通りであり、第一画像（４’’’）の上に、第二の画像（５’’’）が重なる構成となる。第一の実施の形態と同様に、第一画像（４’’’）と第二の画像（５’’’）の間に角度ずれ（ヒネリ）が生じなければ、必ず第二の画像(５’’’)に含まれた潜像画像が可視化される構造となっているため、第一の方向（Ｓ１）及び第二の方向（Ｓ２）に位置ずれが生じても問題ない。
【００５０】
以上の構造を有する本発明の潜像印刷物（１’’’）の効果について図１８を用いて説明する。本発明の潜像印刷物（１’’’）を拡散反射光下で観察した場合、第二の画像中に含まれる潜像画像はいずれも不可視であって、印刷画像領域（３’）全体が特定の色彩で観察されるか、あるいは透明や半透明で観察できない（図示せず）。図１８（ａ）に示すように、本発明の潜像印刷物（１’’’）を正反射光下で観察した場合、ある特定の観察角度（第二の実施の形態においてはやや浅い観察角度）において第一の潜像画像（５Ａ’’’）が表す潜像画像である、桜の画像が出現する。図１８（ｂ）に示すように、本発明の潜像印刷物（１’’’）を正反射光下で観察した場合、図１８（ａ）の場合とは異なる、特定の観察角度（第二の実施の形態においてはやや深い観察角度）において第二の潜像画像（５Ｂ’’’）が表す潜像画像である「ＪＡＰＡＮ」の文字が出現する。図１８（ｃ）に示すように、本発明の潜像印刷物（１’’’）を正反射光下で観察した場合、図１８（ａ）及び図１８（ｂ）の場合とは異なる、特定の観察角度（第二の実施の形態においてはより深い観察角度）において第三の潜像画像（５Ｃ’’’）が表す潜像画像である「日本」の文字が出現する。以上のように、潜像数が三個の場合であっても、正反射光下の特定の観察角度において第一の潜像画像（５Ａ’’’）が出現し、正反射光下で観察角度を変えることで第二の潜像画像（５Ｂ’’’）が出現し、正反射光下で更に観察角度を変えることで第三の潜像画像（５Ｃ’’’）が出現する効果を得ることができる。
【００５１】
以下、前述の発明を実施するための形態にしたがって、具体的に作製した潜像印刷物の実施例について詳細に説明するが、本発明はこの実施例に限定されるものではない。
【実施例１】
【００５２】
図１９に潜像印刷物（１’’’’）を示す。図１９（ａ）に示すのは、潜像印刷物（１’’’’）の正面図であり、図１９（ｂ）に示すのは、潜像印刷物（１’’’’）のＡＡ´ラインにおける断面図である。潜像印刷物（１’’’’）は、基材（２’’’’）の上に、印刷画像領域（３’’’’）が形成されて成る。基材（２’’’’）は、一般的な白色コート紙（エスプリコートＦＭ 日本製紙製）を用いた。
【００５３】
本発明の印刷画像領域（３’’’’）の構成の概要を図２０に示す。印刷画像領域（３’’’’）は、第一の画像（４’’’’）、第二の画像（５’’’’）が重ね合わさって成る。第二の画像（５’’’’）の中には、第一の潜像画像（５Ａ’’’’）と第二の潜像画像（５Ｂ’’’’）が含まれる。
【００５４】
図２１に示すのは、第一の画像（４’’’’）である。第一の画像（４’’’’）は、第一の方向（図中Ｓ１方向）における要素長さが０．２ｍｍ、第二の方向（図中Ｓ２方向）の要素長さが０．２ｍｍの正方形である第一の要素（６’’’’）を、斜めに隣り合う第一の要素（６’’’’）に対して第一の方向（Ｓ１）にピッチ０．２ｍｍで、同じく斜めに隣り合う第一の要素（６’’’’）に対して第二の方向（Ｓ２）にピッチ０．２５ｍｍで配置して市松模様状に配列して成る。
【００５５】
図２２に示すのは、第二の画像（５’’’’）であり、画線長さ０．０８ｍｍの第一の潜像画線（７Ａ’’’’）をピッチ０．２ｍｍで第一の方向（Ｓ１）に連続して配置して構成された第一の潜像画像（５Ａ’’’’）と、画線長さ０．０８ｍｍの第二の潜像画線（７Ｂ’’’’）をピッチ０．２ｍｍで第一の方向（Ｓ１）に連続して配置して構成された第二の潜像画像（５Ｂ’’’’）とを有する。第一の潜像画像（５Ａ’’’’）と第二の潜像画線（７Ｂ’’’’）は、第一の方向（Ｓ１）に位相が０．１ｍｍずれて交互に配置されて成る。
【００５６】
以上の構成の二つの画像を、まず、基材（２’’’’）上に第一の画像（４’’’’）を表１に示すスクリーンインキを用いてＵＶ乾燥方式のスクリーン印刷によって印刷した。続いて、第二の画像（５’’’’）をウェットオフセット印刷によって印刷した。第二の画像（５’’’’）は、マットな透明インキ（マットメジウム  Ｔ＆Ｋ  ＴＯＫＡ製）を用いた。表１に示すＵＶスクリーンインキは、カラーフリップフロップ性を有するインキであり、拡散反射光下では黒色であり、正反射光下では金色の干渉色を発する。本実施例における第一の要素（６’’’’）の盛り上がり高さは、約１０μｍであった。
【００５７】
【表１】
2015042474.tif 000003
【００５８】
以上の構成で形成した本発明の潜像印刷物（１’’’’）の効果について図２４を用いて説明する。本発明の潜像印刷物（１’’’’）を拡散反射光下で観察した場合、図２４（ａ）に示すように、二つの潜像画像（５Ａ’’’’，５Ｂ’’’’）は、不可視であり、印刷画像領域（３’’’’）全体が黒色で視認された。図２４（ｂ）に示すように、本発明の潜像印刷物（１’’’’）を正反射光下の特定の角度で観察した場合、第一の潜像画像（５Ａ’’’’）である「Ｊａｐａｎ」の文字が黒色で、その他の印刷画像領域（３’’’’）は、金色で視認された。続いて、図２４（ｃ）に示すように、正反射光下において本発明の潜像印刷物（１’’’’）を、図２４（ｂ）の観察角度からわずかに異なる角度で観察した場合、第二の潜像画像（５Ｂ’’’’）である「波の画像」が黒色で、その他の印刷画像領域（３’’’’）は、金色で視認された。
【００５９】
以上のように、拡散反射光下では、二つの潜像画像（５Ａ’’’’、５Ｂ’’’’）は、不可視であり、正反射光下の特定の観察角度において第一の画像（４’’’’）及び第二の潜像画像（５Ｂ’’’’）がそれぞれ単独で出現する効果を得られることが確認できた。
【符号の説明】
【００６０】
１、１’、１’’、１’’’、１’’’’  潜像印刷物
２、２’、２’’、２’’’、２’’’’  基材
３、３’、３’’、３’’’、３’’’’  印刷画像領域
４、４’、４’’、４’’’、４’’’’  第一の画像
５、５’、５’’、５’’’、５’’’’  第二の画像
５Ａ、５Ａ’、５Ａ’’、５Ａ’’’、５Ａ’’’’  第一の潜像画像
５Ｂ、５Ｂ’、５Ｂ’’、５Ｂ’’’、５Ｂ’’’’  第二の潜像画像
５Ｃ’’’’  第三の潜像画像
６、６’、６’’、６’’’、６’’’’  第一の要素
７Ａ、７Ａ’、７Ａ’’、７Ａ’’’、７Ａ’’’’  第一の潜像画線
７Ｂ、７Ｂ’、７Ｂ’’、７Ｂ’’’、７Ｂ’’’’  第二の潜像画線
７Ｃ’’’  第三の潜像画線
８  観察者の視点
９  光源
【図１】
2015042474.tif 000004
【図２】
2015042474.tif 000005
【図３】
2015042474.tif 000006
【図４】
2015042474.tif 000007
【図５】
2015042474.tif 000008
【図６】
2015042474.tif 000009
【図７】
2015042474.tif 000010
【図８】
2015042474.tif 000011
【図９】
2015042474.tif 000012
【図１０】
2015042474.tif 000013
【図１１】
2015042474.tif 000014
【図１２】
2015042474.tif 000015
【図１３】
2015042474.tif 000016
【図１４】
2015042474.tif 000017
【図１５】
2015042474.tif 000018
【図１６】
2015042474.tif 000019
【図１７】
2015042474.tif 000020
【図１８】
2015042474.tif 000021
【図１９】
2015042474.tif 000022
【図２０】
2015042474.tif 000023
【図２１】
2015042474.tif 000024
【図２２】
2015042474.tif 000025
【図２３】
2015042474.tif 000026
【図２４】
2015042474.tif 000027